(57)【要約】本発明のペアガラス断熱システムは、一対のガラス窓の間に形成されるチャンバと、前記チャンバに複数のビーズと空気が出入りするビーズ出入口と、前記チャンバに空気が出入りする空気出入口を形成するペアガラスと、前記複数のビーズを貯蔵する貯蔵槽と、前記貯蔵槽と前記ビーズ出入口を連結し、前記複数のビーズが流動するように案内するビーズ流動管と、前記貯蔵槽に連結され、前記貯蔵槽から排出される空気の流動を案内する空気排出管と、前記空気出入口に連結されて前記空気出入口に出入りする空気の流動を案内する空気流動管と、前記空気流動管及び前記空気排出管と連通する連通管と、前記連通管に設けられ、前記空気流動管又は前記空気排出管を介して前記チャンバの空気を吸引することにより、前記複数のビーズを前記チャンバに充填したり、又は前記チャンバから排出させるメイン送風装置と、を含むことを特徴とする。
2019527788.tif 000002
【特許請求の範囲】
【請求項１】
一対のガラス窓の間に形成されるチャンバと、
前記チャンバに複数のビーズと空気が出入りするビーズ出入口と、
前記チャンバに空気が出入りする空気出入口を形成するペアガラスと、
前記複数のビーズを貯蔵する貯蔵槽と、
前記貯蔵槽と前記ビーズ出入口を連結し、前記複数のビーズが流動するように案内するビーズ流動管と、
前記貯蔵槽に連結され、前記貯蔵槽から排出される空気の流動を案内する空気排出管と、
前記空気出入口に連結されて前記空気出入口に出入りする空気の流動を案内する空気流動管と、
前記空気流動管及び前記空気排出管と連通する連通管と、
前記連通管に設けられ、前記空気流動管又は前記空気排出管を介して前記チャンバの空気を吸引することにより、前記複数のビーズを前記チャンバに充填したり、又は前記チャンバから排出させるメイン送風装置と、
を含むペアガラス断熱システム。
【請求項２】
前記空気流動管から分岐されて空気の流動を案内する分岐管と、
前記分岐管に設けられて前記分岐管を開閉する分岐管用弁と、
前記分岐管に設けられて前記分岐管と前記空気流動管を介して前記チャンバに圧入送風する補助送風装置と、
を更に含むことを特徴とする請求項１に記載のペアガラス断熱システム。
【請求項３】
前記連通管と前記空気流動管を連結し、前記メイン送風装置を経て前記連通管を介して排出される一部の空気を前記空気流動管に流動するように案内するバイパス管と、
前記バイパス管に設けられて前記バイパス管を開閉するバイパス管用弁と、
を更に含むことを特徴とする請求項１に記載のペアガラス断熱システム。
【請求項４】
前記ビーズ流動管に設けられて前記ビーズ流動管を開閉する第１弁と、
前記空気排出管に設けられて前記空気排出管を開閉する第２弁と、
前記空気流動管に設けられて前記空気流動管を開閉する第３弁とを含み、
前記複数のビーズが前記チャンバに充填されるとき、前記第１弁と前記第３弁は開放され、前記第２弁は閉鎖され、前記複数のビーズが前記チャンバから排出されるとき、前記第１弁と前記第２弁は開放され、前記第３弁は閉鎖されることを特徴とする請求項１に記載のペアガラス断熱システム。
【請求項５】
前記分岐管と、前記ビーズ流動管又は前記貯蔵槽の下端と、に連結され、前記補助送風装置から送風される空気を前記ビーズ流動管又は前記貯蔵槽の下端に流動するように案内する補助空気流動管と、
前記補助空気流動管に設けられて前記補助空気流動管を開閉する補助空気流動管用弁と、
を更に含むことを特徴とする請求項２に記載のペアガラス断熱システム。
【請求項６】
前記ビーズ出入口に設けられ、前記複数のビーズと空気がボトルネックになることなく前記チャンバに出入り可能に流動案内するビーズ通過部材を含むことを特徴とする請求項１に記載のペアガラス断熱システム。
【請求項７】
前記空気出入口に設けられ、前記複数のビーズが前記空気流動管に流入するのを防止するビーズ遮断部材を含み、
前記ビーズ遮断部材には、空気が流動する１つ以上の空気通過孔が形成されていることを特徴とする請求項１に記載のペアガラス断熱システム。
【請求項８】
前記貯蔵槽に設けられて前記貯蔵槽に流入した前記複数のビーズが前記空気排出管に流出するのを防止する補助遮断部材を含むことを特徴とする請求項１に記載のペアガラス断熱システム。
【請求項９】
前記補助遮断部材と前記空気排出管との間の前記貯蔵槽に設けられて前記貯蔵槽に流入する空気の流動を案内する貯蔵槽空気流入管と、
前記貯蔵槽空気流入管に設けられて前記貯蔵槽空気流入管を開閉する貯蔵槽空気流入管用弁と、
を更に含むことを特徴とする請求項８に記載のペアガラス断熱システム。
【請求項１０】
前記チャンバと連通するように前記ペアガラスに設けられて前記チャンバに空気を流入するチャンバ空気流入管と、
前記チャンバ空気流入管に設けられて前記チャンバ空気流入管を開閉するチャンバ空気流入管用弁と、
を更に含むことを特徴とする請求項１に記載のペアガラス断熱システム。
【請求項１１】
前記ビーズ流動管に接地されて前記ビーズ流動管を流動する前記複数のビーズの間で発生する静電気を防止する静電気防止部材を更に含むことを特徴とする請求項１に記載のペアガラス断熱システム。
【請求項１２】
前記ビーズ流動管から分岐され、前記チャンバの上部領域に連通するように連結されて前記チャンバに前記複数のビーズを供給するビーズ供給管と、
前記ビーズ流動管から分岐され、前記ビーズ出入口に連通するように連結されて前記チャンバに充填された前記複数のビーズが排出されるビーズ排出管と、
前記ビーズ供給管に設けられて前記ビーズ供給管を開閉するビーズ供給管用弁と、
前記ビーズ排出管に設けられて前記ビーズ排出管を開閉するビーズ排出管用弁とを更に含み、
前記チャンバに複数のビーズを充填する場合、前記貯蔵槽に貯蔵された前記複数のビーズは、前記ビーズ流動管と前記ビーズ供給管を経て前記チャンバに充填され、
前記チャンバから前記複数のビーズを排出する場合、前記チャンバに貯蔵された前記複数のビーズは前記ビーズ出入口を経て、前記ビーズ排出管と前記ビーズ流動管を介して前記貯蔵槽に貯蔵されることを特徴とする請求項１に記載のペアガラス断熱システム。
【発明の詳細な説明】
【技術分野】
【０００１】
本発明はペアガラス断熱システムに関し、より詳細には、一対のガラス間のチャンバに複数のビーズを充填して一対のガラス間を断熱、遮光及び防音したり、又はチャンバに収容された複数のビーズを排出して一対のガラスを通して眺望できるペアガラス断熱システムに関する。
【背景技術】
【０００２】
建築物において、ガラス窓は自然環境と室内環境とを隔離させ、太陽光と新鮮な外気の供給路としての役割を果たし、これにより、人に眺望と開放感を感じさせる必須の構成要素である。
【０００３】
近年は、建築物の外観を綺麗にするために窓の大きさが益々大きくなる傾向にある。
【０００４】
従って、建築物に用いられるエネルギーの節約のためには、窓を通じた熱損失の最小化が重要な課題である。
【０００５】
このような問題に対して、従来はペアガラスの内部空間、例えば、チャンバに熱伝導性の低い気体を注入するガス封入ペアガラス、真空ガラス窓、低放射コーティングガラス、透過率調節ガラス、複層ガラスなどが開発されたが、大半が特殊な材料を用いることによって特別な製造技術が必要なため、価格が上昇し、普遍的に使用し難いのが現状である。
【０００６】
また、このような従来の多様なペアガラスによって断熱効果が得られるとしても、日射熱の侵入を防ぐための別途のカーテンやブラインドなどを追加的に設置しなければならないという問題がある。
【発明の概要】
【発明が解決しようとする課題】
【０００７】
そこで、本発明は上記事情に鑑みてなされたものであって、その目的は、一対のガラス間のチャンバに複数のビーズを充填して断熱、遮光及び防音を向上させ、別途のカーテンやブラインドの追加設置が不要なペアガラス断熱システムを提供することにある。
【課題を解決するための手段】
【０００８】
本発明の目的は、一対のガラス窓の間に形成されるチャンバと、前記チャンバに複数のビーズと空気が出入りするビーズ出入口と、前記チャンバに空気が出入りする空気出入口を形成するペアガラスと、前記複数のビーズを貯蔵する貯蔵槽と、前記貯蔵槽と前記ビーズ出入口を連結し、前記複数のビーズが流動するように案内するビーズ流動管と、前記貯蔵槽に連結され、前記貯蔵槽から排出される空気の流動を案内する空気排出管と、前記空気出入口に連結されて前記空気出入口に出入りする空気の流動を案内する空気流動管と、前記空気流動管及び前記空気排出管と連通する連通管と、前記連通管に設けられ前記空気流動管又は前記空気排出管を介して前記チャンバの空気を吸引することにより、前記複数のビーズを前記チャンバに充填したり、又は前記チャンバから排出させるメイン送風装置とを含むペアガラス断熱システムにより達成されることができる。
【０００９】
ここで、前記空気流動管から分岐されて空気の流動を案内する分岐管と、前記分岐管に設けられて前記分岐管を開閉する分岐管用弁と、前記分岐管に設けられて前記分岐管と前記空気流動管を介して前記チャンバに圧入送風する補助送風装置とを更に含むことができる。
【００１０】
前記連通管と前記空気流動管を連結し、前記メイン送風装置を経て前記連通管を介して排出される一部の空気を前記空気流動管に流動するように案内するバイパス管と、前記バイパス管に設けられて前記バイパス管を開閉するバイパス管用弁とを更に含むことができる。
【００１１】
前記ビーズ流動管に設けられて前記ビーズ流動管を開閉する第１弁と、前記空気排出管に設けられて前記空気排出管を開閉する第２弁と、前記空気流動管に設けられて前記空気流動管を開閉する第３弁とを含み、前記複数のビーズが前記チャンバに充填されるとき、前記第１弁と前記第３弁は開放され、前記第２弁は閉鎖され、前記複数のビーズが前記チャンバから排出されるとき、前記第１弁と前記第２弁は開放され、前記第３弁は閉鎖されることができる。
【００１２】
前記分岐管と、前記ビーズ流動管又は前記貯蔵槽の下端と、に連結され、前記補助送風装置から送風される空気を前記ビーズ流動管又は前記貯蔵槽の下端に流動するように案内する補助空気流動管と、前記補助空気流動管に設けられて前記補助空気流動管を開閉する補助空気流動管用弁とを更に含むことができる。
【００１３】
前記ビーズ出入口に設けられ、前記複数のビーズと空気がボトルネックになることなく前記チャンバに出入り可能に流動案内するビーズ通過部材を含むことができる。
【００１４】
前記空気出入口に設けられ、前記複数のビーズが前記空気流動管に流入するのを防止するビーズ遮断部材を含み、前記空気出入口には空気が流動する１つ以上の空気通過孔が形成されることができる。
【００１５】
前記貯蔵槽に設けられて前記貯蔵槽に流入した前記複数のビーズが前記空気排出管に流出するのを防止する補助遮断部材を含むことができる。
【００１６】
前記補助遮断部材と前記空気排出管との間の前記貯蔵槽に設けられて前記貯蔵槽に空気が流入する空気の流動を案内する貯蔵槽空気流入管と、前記貯蔵槽空気流入管に設けられて前記貯蔵槽空気流入管を開閉する貯蔵槽流入管用弁とを更に含むことができる。
【００１７】
前記チャンバと連通するように前記ペアガラスに設けられて前記チャンバに空気を流入するチャンバ空気流入管と、前記チャンバ空気流入管に設けられて前記チャンバ空気流入管を開閉するチャンバ空気流入管用弁とを更に含むことができる。
【００１８】
前記ビーズ流動管に接地されて前記ビーズ流動管を流動する前記複数のビーズの間で発生する静電気を防止する静電気防止部材を更に含むことができる。
【００１９】
前記ビーズ流動管から分岐され、前記チャンバの上部領域に連通するように連結されて前記チャンバに前記複数のビーズを供給するビーズ供給管と、前記ビーズ流動管から分岐され、前記ビーズ出入口に連通するように連結されて前記チャンバに充填された前記複数のビーズが排出されるビーズ排出管と、前記ビーズ供給管に設けられて前記ビーズ供給管を開閉するビーズ供給管用弁と、前記ビーズ排出管に設けられて前記ビーズ排出管を開閉するビーズ排出管用弁とを更に含み、前記チャンバに複数のビーズを充填する場合、前記貯蔵槽に貯蔵された前記複数のビーズは、前記ビーズ流動管と前記ビーズ供給管を経て前記チャンバに充填され、前記チャンバから前記複数のビーズを排出する場合、前記チャンバに貯蔵された前記複数のビーズは前記ビーズ出入口を経て、前記ビーズ排出管と前記ビーズ流動管を介して前記貯蔵槽に貯蔵されることができる。
【発明の効果】
【００２０】
本発明によれば、一対のガラス間のチャンバに複数のビーズを充填して断熱、遮光及び防音を向上させることができ、又はチャンバに収容された複数のビーズを排出して眺望できるという効果を奏する。また、別途のカーテンやブラインドの追加設置が不要である。
【図面の簡単な説明】
【００２１】
【図１】本発明の一実施形態に係るペアガラス断熱システムの構成図である。
【図２】図１のペアガラス断熱システムのペアガラスに複数のビーズが充填される過程を示す図である。
【図３】図１のペアガラス断熱システムのペアガラスに複数のビーズが充填される過程を示す図である。
【図４】図１のペアガラス断熱システムのペアガラスに複数のビーズが充填済みの状態を示す図である。
【図５】図１のペアガラス断熱システムのペアガラスから複数のビーズが排出される過程を示す図である。
【図６】図４のペアガラス断熱システムのペアガラスをクリーンする過程を示す図である。
【図７】図１のペアガラス断熱システムのビーズ出入口の平面図である。
【図８】図１のペアガラス断熱システムのビーズ遮断部材の要部平面図である。
【図９】一実施形態として、本発明の一実施形態に係るペアガラス断熱システムが複数のペアガラスに適用された状態を示す構成図である。
【図１０】本発明の他の実施形態に係るペアガラス断熱システムの構成図である。
【図１１】本発明の更に他の実施形態に係るペアガラス断熱システムの構成図である。
【発明を実施するための形態】
【００２２】
本発明の利点及び特徴、そしてそれらを達成する方法は、添付の図面と共に詳細に後述されている実施形態を参照すれば明確になるはずである。しかし、本発明は以下で開示される実施形態に限定されるものではなく、互いに異なる多様な形態で実現することができる。但し、本実施形態は本発明の開示を完全なものにし、本発明が属する技術分野における通常の技術者に本発明の範疇を完全に理解させるために提供されるものである。
【００２３】
本明細書で用いられた用語は、実施形態を説明するためのものであり、本発明を制限しようとするものではない。本明細書において、単数型は特に言及しない限り複数型も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のぞれぞれ及び１つ以上のあらゆる組み合わせを含む。たとえ、「第１」、「第２」などが多様な構成要素を叙述するために用いられていても、これらの構成要素はこれらの用語により制限されないのはもちろんである。これらの用語は、単に１つの構成要素を他の構成要素と区別するために用いる。従って、以下で言及される第１構成要素は、本発明の技術的思想内で第２構成要素であることもできるのはもちろんである。
【００２４】
他の定義がなければ、本明細書で用いられる全ての用語（技術及び科学的用語を含む）は、本発明が属する技術分野における通常の技術者が共通して理解できる意味として使用され得る。また、一般に用いられる辞典に定義されている用語は、明白に特に定義されていない限り、理想的に又は過度に解釈されない。
【００２５】
以下、添付の図面を参照し、本発明について詳細に説明する。
【００２６】
図１〜図６には、本発明の一実施形態に係るペアガラス断熱システムが示されている。
【００２７】
これらの図面に示すように、本発明の一実施形態に係るペアガラス断熱システムはペアガラス１０、貯蔵槽３０、ビーズ流動管４１、空気排出管５１、空気流動管５５、連通管６１、メイン送風装置６５を含む。
【００２８】
ペアガラス１０は、一対のガラス窓１１（図７及び図８参照）が一定間隔をおいて並んで配置され、窓枠（図示せず）に支持される構造を有する。
【００２９】
一対のガラス窓１１の間には内部空間が形成、例えば、チャンバ１３が形成される。チャンバ１３は、複数のビーズ５が充填される充填状態、又は複数のビーズ５を収容しない排出状態を有する。複数のビーズ５がチャンバ１３に充填される場合、ペアガラス１０は断熱、遮光及び防音を行うようになり、複数のビーズ５がチャンバ１３から排出される場合、ペアガラス１０を通して眺望できるようになる。
【００３０】
ここで、複数のビーズ５について簡略に説明すると、球状の粒子であって、断熱性を有するように内部に空気及びガスが充填される。ビーズ５は、送風により流動性に優れた発泡スチレン素材からなることが好ましいが、ビーズ５の材質はこれに限定されず、他の種類の発泡フォームやヒドロゲルを用いることもできる。また、ビーズ５の色は日光遮断のための白色や、又は日光透過のための透明色を有することが好ましい。夏には白色のビーズ５を用いて日光を遮断しながら断熱効果を得ることができ、冬には白色や透明材質のビーズ５を用いて所謂、気泡緩衝材（プチプチ）を貼った効果を提供してガラスの透明性確保により外部を眺望でき、断熱効果も得られるようになる。一方、このようなビーズ５の色は限定されず、多様な色に製造されることができる。そして、ビーズ５の形状は球状以外に楕円形、多角形など多様な断面形状を有することができる。
【００３１】
一方、ペアガラス１０の下端部及び上端部はそれぞれチャンバ１３と連通するように開口されており、両側部は窓枠により密閉されている。
【００３２】
ペアガラス１０の下端部の開口には、チャンバ１３に複数のビーズ５と空気が出入りするビーズ出入口１５が形成される。
【００３３】
ビーズ出入口１５にはビーズ通過部材１７が設けられる。ビーズ通過部材１７は、複数のビーズ５と空気がボトルネックになることなく、チャンバ１３に出入り可能に流動案内する役割を果たす。ビーズ通過部材１７は、図７に示すように、長方形のプレート状を有し、ペアガラス１０のビーズ出入口１５に結合される。ビーズ通過部材１７は、３個の円形のビーズ通過孔１９が間隔をおいて貫通形成されており、各ビーズ通過孔１９はチャンバ１３と連通する。３個のビーズ通過孔１９のうち一対のビーズ通過孔１９は、ペアガラス１０の両側部に向かってそれぞれ貫通形成されており、残りの１つのビーズ通過孔１９は、ビーズ出入口１５の中央に貫通形成されている。ここで、本実施形態では３個のビーズ通過孔１９が形成されていることが示されているが、これに限定されず、ビーズ通過孔１９の数量は１つ以上形成されることができる。また、ビーズ通過孔１９は円形以外に楕円形、多角形など多様な断面形状を有することができる。
【００３４】
ペアガラス１０の上端部の開口には、チャンバ１３に空気が出入りする空気出入口２１が形成される。
【００３５】
空気出入口２１には、ビーズ遮断部材２３が設けられる。ビーズ遮断部材２３は、図８に示すように、長方形のプレート状を有し、ペアガラス１０の空気出入口２１に結合される。ペアガラス１０の各ガラス窓１１面に密着するビーズ遮断部材２３の両側縁にはビーズ５の直径よりも小さな半円形の断面形状を有する複数の空気通過孔２５が貫通形成されている。複数の空気通過孔２５は、ビーズ遮断部材２３の板面に垂直又は傾斜して貫通形成されることができる。これにより、ビーズ遮断部材２３は、空気通過孔２５を介してチャンバ１３に空気のみ出入り可能にし、ビーズ５が空気流動管５５に流入するのを防ぐ。ここで、本実施形態では半円形の断面形状を有する空気通過孔２５が複数形成されていることが示されているが、これに限定されず、空気通過孔２５はビーズ遮断部材２３の各縁、又は板面にビーズ遮断部材２３の長手方向に沿って１つ以上のスロット状に形成されることもできる。また、ビーズ遮断部材２３は、ビーズ５の直径よりも小さな直径を有する複数の通過孔が形成された網状に形成されることもできる。
【００３６】
一方、ペアガラス１０の一側部には、例えば、ペアガラス１０間の窓枠にはチャンバ１３と連通するチャンバ空気流入管２７が繋がっている。チャンバ空気流入管２７は、中空のパイプ又はダクト状を有する。チャンバ空気流入管２７は、ビーズ５が充填されたチャンバ１３に外部の空気が流入するように空気の流動を案内する役割を果たす。チャンバ空気流入管２７は、ビーズ通過部材１７の一側のビーズ通過孔１９の上側に隣接するように配置されるとともに、チャンバ空気流入管２７に流入する外部の空気がビーズ通過孔１９と直角をなし、チャンバ１３に流入するように配置される。また、チャンバ空気流入管２７は、チャンバ１３を介在してビーズ流動管４１及び空気流動管５５と反対側に位置することが好ましい。更に、チャンバ空気流入管２７とチャンバ１３とが境界を接する内側部分には、ビーズ５よりも小さな孔からなる網を設けてビーズ５の流れを阻止する。
【００３７】
チャンバ空気流入管２７には、チャンバ空気流入管２７を開閉するチャンバ空気流入管用弁２９が設けられている。チャンバ空気流入管用弁２９の開閉作動によりチャンバ空気流入管２７に沿ってチャンバ１３に流入する空気の流動を断続することができる。
【００３８】
このように、ペアガラス１０のチャンバ１３から複数のビーズ５を排出するとき、外部の空気をチャンバ空気流入管２７を介してチャンバ１３に供給することによって、チャンバ１３に充填された複数のビーズ５はブリッジ現象が発生することなく、チャンバ１３から円滑に排出される。
【００３９】
ここで、チャンバ空気流入管２７とチャンバ空気流入管用弁２９は、必要に応じて選択的に設けられることができる。
【００４０】
貯蔵槽３０は中空の密閉された筒状を有し、ペアガラス１０のチャンバ１３から排出された複数のビーズ５を貯蔵する。
【００４１】
貯蔵槽３０の内側上部領域には、補助遮断部材３１が設けられている。補助遮断部材３１は、複数の通過孔（図示せず）が形成された網状を有する。補助遮断部材３１に形成された複数の通過孔は、ビーズ５の直径よりも小さな直径を有し、これにより補助遮断部材３１は貯蔵槽３０に流入した複数のビーズ５が空気排出管５１に流出するのを防止する。
【００４２】
また、貯蔵槽３０には、貯蔵槽空気流入管３５が繋がっている。貯蔵槽空気流入管３５は、中空のパイプ又はダクト状を有する。貯蔵槽空気流入管３５は、補助遮断部材３１と空気排出管５１との間の貯蔵槽３０の側壁に連結され、外部の空気が貯蔵槽３０内に、より具体的には、貯蔵槽３０に貯蔵された複数のビーズ５の上方に流入するように空気の流動を案内する役割を果たす。
【００４３】
貯蔵槽空気流入管３５には、貯蔵槽空気流入管３５を開閉する貯蔵槽空気流入管用弁３７が設けられる。貯蔵槽空気流入管用弁３７の開閉作動により貯蔵槽空気流入管３５に沿って貯蔵槽３０に流入する空気の流動を断続できるようになる。
【００４４】
これにより、外部の空気を貯蔵槽３０に貯蔵された複数のビーズ５の上方に流入することによって、チャンバ１３にビーズ５を充填するときに、貯蔵槽３０に貯蔵された複数のビーズ５をブリッジ現象が発生することなく、貯蔵槽３０から円滑に排出させることができる。
【００４５】
ここで、貯蔵槽空気流入管３５と貯蔵槽空気流入管用弁３７は、必要に応じて選択的に設けられることができる。
【００４６】
ビーズ流動管４１は、中空のパイプ又はダクト状を有し、貯蔵槽３０とビーズ出入口１５を連結する。ビーズ流動管４１は、複数のビーズ５が流動するように案内する役割を果たす。
【００４７】
ビーズ流動管４１には、ビーズ流動管４１を開閉する第１弁４３が設けられている。第１弁４３の開閉作動によりビーズ流動管４１に沿って流動するビーズ５の流動を断続できるようになる。
【００４８】
一方、ビーズ流動管４１の外周には、静電気防止部材４５が接地されている。静電気防止部材４５は、ビーズ流動管４１を流動する複数のビーズ５の間で発生する静電気を防止し、ビーズ５間の静電気力によりビーズ５が互いに絡まるのを防止し、これによりビーズ流動管４１でビーズ５によりボトルネックが発生するのを低減できるようになる。
【００４９】
空気排出管５１は、中空のパイプ又はダクト状を有し、貯蔵槽３０の一側に連結される。空気排出管５１は、貯蔵槽３０から排出される空気の流動を案内する役割を果たす。
【００５０】
空気排出管５１には、空気排出管５１を開閉する第２弁５３が設けられている。第２弁５３の開閉作動により空気排出管５１に沿って流動する空気の流動を断続できるようになる。
【００５１】
空気流動管５５は、中空のパイプ又はダクト状を有する。空気流動管５５は空気出入口２１に連結され、空気流動管５５を流動する空気の流動を案内する役割を果たす。
【００５２】
空気流動管５５には、空気流動管５５を開閉する第３弁５７が設けられている。第３弁５７の開閉作動により空気流動管５５に沿って流動する空気の流動を断続できるようになる。
【００５３】
連通管６１は、空気流動管５５及び空気排出管５１と連通するように空気流動管５５及び空気排出管５１に連結される。
【００５４】
メイン送風装置６５は連通管６１に設けられ、空気流動管５５を介してチャンバ１３の空気を吸引したり、又は空気排出管５１を介してチャンバ１３の空気を吸引する。ここで、メイン送風装置６５は通常の送風機、又はブロワ、又はエアーコンプレッサ、又はポンプなどを適用することができる。
【００５５】
一方、メイン送風装置６５が空気流動管５５を介してチャンバ１３の空気を吸引するとき、貯蔵槽３０に貯蔵された複数のビーズ５をチャンバ１３に充填させる。このとき、第１弁４３と第３弁５７は開放され、第２弁５３は閉鎖される。
【００５６】
メイン送風装置６５が空気排出管５１を介してチャンバ１３の空気を吸引するとき、チャンバ１３に充填された複数のビーズ５をチャンバ１３から排出して貯蔵槽３０に貯蔵させる。このとき、第１弁４３と第２弁５３は開放され、第３弁５７は閉鎖される。
【００５７】
また、本発明の一実施形態に係るペアガラス断熱システムは、分岐管７１と、分岐管用弁７３と、補助送風装置７５を更に含む。
【００５８】
分岐管７１は、中空のパイプ又はダクト状を有する。分岐管７１は、空気流動管５５から分岐されて空気の流動を案内する役割を果たす。
【００５９】
分岐管用弁７３は、分岐管７１に設けられて分岐管７１を開閉する。分岐管用弁７３の開閉作動により分岐管７１に沿って流動する空気の流動を断続する。
【００６０】
補助送風装置７５は、分岐管７１に設けられて分岐管７１と空気流動管５５を介してチャンバ１３に圧入送風する。補助送風装置７５により分岐管７１と空気流動管５５を介してチャンバ１３に流入する空気は、ビーズ遮断部材２３の各空気通過孔２５を通過してガラス窓１１面に沿ってチャンバ１３に流入し、各ガラス窓１１面に静電気力により付着している残留ビーズ５を取り除き、残留ビーズ５と共にビーズ出入口１５を介してビーズ流動管４１に流動する。
【００６１】
これにより、ペアガラス１０のチャンバ１３から複数のビーズ５を排出するとき、ペアガラス１０のガラス窓１１面に付着しているビーズ５の量を最小化し、ガラス窓１１を清潔に維持できるようになる。
【００６２】
ここで、補助送風装置７５は通常の送風機、又はブロワ、又はエアーコンプレッサ、又はポンプなどを適用することができる。
【００６３】
そして、本発明の一実施形態に係るペアガラス断熱システムは、補助空気流動管８１と、補助空気流動管用弁８３とを更に含む。
【００６４】
補助空気流動管８１は、中空のパイプ又はダクト状を有する。補助空気流動管８１は、分岐管７１と、ビーズ流動管４１又は貯蔵槽３０の下端と、に連結され、補助送風装置７５から送風される空気をビーズ流動管４１又は貯蔵槽３０の下端に流動するように案内する役割を果たす。補助空気流動管８１は、ビーズ流動管４１又は貯蔵槽３０の下端と境界を接する部分にはビーズ５よりも小さな孔からなる網を設置してビーズ５の流れを阻止する。
【００６５】
補助空気流動管用弁８３は、補助空気流動管８１に設けられて補助空気流動管８１を開閉する。補助空気流動管用弁８３の開閉作動により補助空気流動管８１に沿ってビーズ流動管４１に流入する空気の流動を断続できるようになる。
【００６６】
このように、補助送風装置７５から送風される空気を補助空気流動管８１を経てビーズ流動管４１又は貯蔵槽３０の下端に流入することによって、チャンバ１３にビーズ５を充填するとき、貯蔵槽３０から排出される複数のビーズ５の流動性を向上させて複数のビーズ５は貯蔵槽３０からビーズ流動管４１に沿って円滑にチャンバ１３に流動できるようになる。
【００６７】
ここで、補助空気流動管８１と補助空気流動管用弁８３は、必要に応じて選択的に設けられることができる。また、補助空気流動管８１には、図示していないイオン発生器から発生したイオン化された空気を流動させてビーズ流動管４１を流動する複数のビーズ５の間で静電気が発生するのを低減することもできる。
【００６８】
一方、前述したビーズ流動管４１、空気排出管５１、空気流動管５５、連通管６１、分岐管７１、補助空気流動管８１、貯蔵槽空気流入管３５、チャンバ空気流入管２７は静電気を最小化するために伝導性物質からなることが効果的である。また、前述した第１弁４３、第２弁５３、第３弁５７、分岐管用弁７３、補助空気流動管用弁８３、貯蔵槽空気流入管用弁３７、チャンバ空気流入管用弁２９はソレノイド弁、又はモータの駆動により開閉作動を行うモータ電動弁からなることができる。
【００６９】
このような構成により、図１〜図６を用いて、本発明の一実施形態に係るペアガラス断熱システムの作動について説明すると、以下の通りである。
【００７０】
まず、図１に示すように、貯蔵槽３０に複数のビーズ５が貯蔵され、ペアガラス１０のチャンバ１３には複数のビーズ５が充填されていない状態で、チャンバ１３に複数のビーズ５を充填する過程について説明する。
【００７１】
第１弁４３と第３弁５７を開放し、第２弁５３を閉鎖した状態でメイン送風装置６５を作動させる。
【００７２】
メイン送風装置６５が作動することによって、図２に示すように、メイン送風装置６５は連通管６１と、空気流動管５５と、チャンバ１３と、ビーズ流動管４１に存在する空気を吸引する。このとき、第２弁５３が閉鎖されているので、貯蔵槽３０内部の空気は空気排出管５１を介してメイン送風装置６５に吸引されない。
【００７３】
メイン送風装置６５の吸引作用により、連通管６１と、空気流動管５５と、チャンバ１３と、ビーズ流動管４１には負圧が発生し、これにより貯蔵槽３０に貯蔵された複数のビーズ５は、ビーズ流動管４１に沿って流動してペアガラス１０のビーズ出入口１５を通過してチャンバ１３に流入する。
【００７４】
一方、複数のビーズ５がチャンバ１３に流入する途中又は流入する前に、図３に示すように、貯蔵槽空気流入管３５に設けられた貯蔵槽空気流入管用弁３７を開放して貯蔵槽３０よりも相対的に圧力が高い外部の空気を貯蔵槽３０に貯蔵された複数のビーズ５の上方に流入することによって、貯蔵槽３０に貯蔵された複数のビーズ５をブリッジ現象が発生することなく、貯蔵槽３０から円滑に排出させることもできる。また、補助空気流動管８１に設けられた補助空気流動管用弁８３を開放し、補助空気流動管８１に空気を送風するように補助送風装置７５を作動して補助送風装置７５から送風される空気を補助空気流動管８１を経てビーズ流動管４１に流入することによって、貯蔵槽３０から排出される複数のビーズ５の流動性を向上させて複数のビーズ５は貯蔵槽３０からビーズ流動管４１に沿って円滑にチャンバ１３に流動することもできる。一方、補助送風装置７５が作動するとき、分岐管７１に設けられた分岐管用弁７３が閉鎖されているので、補助送風装置７５から送風される空気は、分岐管７１を介して空気流動管５５に流入しない。
【００７５】
チャンバ１３に流入した複数のビーズ５は、図３に示すように、ペアガラス１０の下端部から上端部に向かって傾斜をなし、チャンバ１３の領域全体に充填される。
【００７６】
このとき、チャンバ１３に充填される複数のビーズ５は、空気出入口２１に設けられたビーズ遮断部材２３により空気流動管５５への流出が阻止される。
【００７７】
そして、複数のビーズ５と共にチャンバ１３に流入した空気は、ビーズ遮断部材２３を通過して空気流動管５５を経てメイン送風装置６５を介して外部に排出される。
【００７８】
貯蔵槽３０に貯蔵された複数のビーズ５がチャンバ１３の領域全体に充填された後は、図４に示すように、開放されていた第１弁４３と第３弁５７を閉鎖し、同時に貯蔵槽空気流入管用弁３７と補助空気流動管用弁８３を閉鎖する。
【００７９】
そして、メイン送風装置６５の作動を停止することによって、ペアガラス１０のチャンバ１３は複数のビーズ５が充填された状態になり、これによりペアガラス１０を介して断熱、遮光及び防音を向上させることができ、別途のカーテンやブラインドの追加設置が不要になる。
【００８０】
以下、図４に示すように、ペアガラス１０のチャンバ１３に複数のビーズ５が充填された状態で、貯蔵槽３０に複数のビーズ５を排出する過程について説明する。
【００８１】
図５に示すように、第１弁４３と第２弁５３を開放し、第３弁５７を閉鎖した状態で、メイン送風装置６５を作動させる。
【００８２】
メイン送風装置６５が作動することによって、メイン送風装置６５は連通管６１と、空気排出管５１と、貯蔵槽３０と、ビーズ流動管４１と、チャンバ１３に存在する空気を吸引する。このとき、第３弁５７が閉鎖されているので、チャンバ１３の空気は、空気流動管５５を介してメイン送風装置６５に吸引されない。
【００８３】
メイン送風装置６５の吸引作用により、連通管６１と、空気排出管５１と、貯蔵槽３０と、ビーズ流動管４１と、チャンバ１３には負圧が発生し、これによりチャンバ１３に充填された複数のビーズ５は、ビーズ流動管４１に沿って流動し、チャンバ１３のビーズ出入口１５を通過して貯蔵槽３０に流入する。
【００８４】
一方、複数のビーズ５がチャンバ１３に流入する途中又は流入する前に、チャンバ空気流入管２７に設けられたチャンバ空気流入管用弁２９を開放してチャンバ１３よりも相対的に圧力が高い外部の空気をチャンバ１３に流入することによって、チャンバ１３に充填された複数のビーズ５をブリッジ現象が発生することなく、チャンバ１３から円滑に排出させることもできる。
【００８５】
チャンバ１３から複数のビーズ５を排出した後、一部のビーズ５がガラス窓１１面に静電気力により付着してチャンバ１３に残る。
【００８６】
これにより、チャンバ１３から複数のビーズ５を排出する途中に、図６に示すように、分岐管７１に設けられた分岐管用弁７３を開放し、補助送風装置７５を追加で作動させる。このとき、チャンバ空気流入管２７に設けられたチャンバ空気流入管用弁２９を閉鎖した状態、又はチャンバ流入管用弁２９を開放した状態を状況に応じて選択する。
【００８７】
補助送風装置７５が作動することによって補助送風装置７５は、分岐管７１に向かって空気を送風し、分岐管７１に送風された空気は、空気流動管５５を経てビーズ遮断部材２３の各空気通過孔２５を通過してガラス窓１１面に沿ってチャンバ１３に流入して各ガラス窓１１面に静電気力により付着している残留ビーズ５を取り除き、残留ビーズ５と共にビーズ出入口１５を介してビーズ流動管４１に流動する。これにより、ペアガラス１０のガラス窓１１面に付着しているビーズ５の量を最小化してガラス窓１１を清潔に維持できるようになる。
【００８８】
そして、補助送風装置７５が作動するとき、補助空気流動管８１に設けられた補助空気流動管用弁８３が閉鎖されているので、補助送風装置７５から送風される空気は、補助空気流動管８１を介してビーズ流動管４１に流入しない。
【００８９】
一方、チャンバ１３から排出されて貯蔵槽３０に貯蔵される複数のビーズ５は、貯蔵槽３０に設けられた補助遮断部材３１により空気排出管５１への流出が阻止される。
【００９０】
そして、複数のビーズ５と共に貯蔵槽３０に流入した空気は、補助遮断部材３１を通過して空気排出管５１と連通管６１を経てメイン送風装置６５を介して外部に排出される。
【００９１】
チャンバ１３から排出された複数のビーズ５が貯蔵槽３０に貯蔵された後、図１に示すように、開放されていた第１弁４３と第２弁５３を閉鎖し、同時に分岐管用弁７３を閉鎖する。
【００９２】
そして、メイン送風装置６５の作動を停止することによって、ペアガラス１０のチャンバ１３は複数のビーズ５が排出された状態になり、これによりペアガラス１０を通して眺望できるようになる。
【００９３】
図９には、本発明に係るペアガラス断熱システムを複数のペアガラス１０ａ、１０ｂ、１０ｃに適用した構成図が示されている。
【００９４】
図９に示すように、３個のペアガラス１０ａ、１０ｂ、１０ｃが設けられているが、ペアガラスの数量はこれに限定されないことを予め明らかにしておく。
【００９５】
貯蔵槽３０ａ、３０ｂ、３０ｃは、各ペアガラス１０ａ、１０ｂ、１０ｃの数量に対応して配置され、各ペアガラス１０ａ、１０ｂ、１０ｃと各貯蔵槽３０ａ、３０ｂ、３０ｃは、それぞれビーズ流動管４１ａ、４１ｂ、４１ｃによって繋がっている。各ビーズ流動管４１ａ、４１ｂ、４１ｃには、ビーズ流動管４１ａ、４１ｂ、４１ｃに沿って流動するビーズ５の流動を断続する第１弁４３ａ、４３ｂ、４３ｃが設けられている。
【００９６】
また、各貯蔵槽３０ａ、３０ｂ、３０ｃは空気排出管５１がそれぞれ連結され、各ペアガラス１０ａ、１０ｂ、１０ｃは空気流動管５５ａ、５５ｂ、５５ｃがそれぞれ連結され、各空気排出管５１と各空気流動管５５ａ、５５ｂ、５５ｃは１つの連通管６１により連結される。各空気排出管５１には、空気排出管５１に沿って流動する空気の流動を断続する第２弁５３ａ、５３ｂ、５３ｃが設けられており、各空気流動管５５ａ、５５ｂ、５５ｃには、空気流動管５５ａ、５５ｂ、５５ｃに沿って流動する空気の流動を断続する第３弁５７ａ、５７ｂ、５７ｃが設けられている。
【００９７】
連通管６１には１つのメイン送風装置６５が設けられ、また連通管６１にはメイン送風装置６５の作動により連通管６１から各空気流動管５５ａ、５５ｂ、５５ｃを経てチャンバに送風される空気が連通管６１に逆流するのを防止する逆流防止弁８５が設けられている。
【００９８】
そして、各空気流動管５５ａ、５５ｂ、５５ｃは分岐管７１ａ、７１ｂ、７１ｃがそれぞれ連結され、各分岐管７１ａ、７１ｂ、７１ｃには分岐管７１ａ、７１ｂ、７１ｃに沿って流動する空気の流動を断続する分岐管用弁７３ａ、７３ｂ、７３ｃが設けられている。各分岐管７１ａ、７１ｂ、７１ｃは１つの統合分岐管８７に連結され、統合分岐管８７には１つの補助送風装置７５が設けられている。
【００９９】
このような構成により、前述した１つのペアガラスの断熱システムで説明したように、複数のビーズ５が各貯蔵槽３０ａ、３０ｂ、３０ｃに貯蔵された状態で、所望のペアガラス１０ａ、１０ｂ、１０ｃを断熱するために複数のビーズ５をチャンバに充填する場合、所望のペアガラス１０ａ、１０ｂ、１０ｃに対応する第１弁４３ａ、４３ｂ、４３ｃと第３弁５７ａ、５７ｂ、５７ｃを開放し、第２弁５３ａ、５３ｂ、５３ｃを閉鎖した状態で、メイン送風装置６５を作動させる。
【０１００】
メイン送風装置６５の作動によりメイン送風装置６５は、連通管６１と、所望のペアガラス１０ａ、１０ｂ、１０ｃに対応する空気流動管５５ａ、５５ｂ、５５ｃとチャンバとビーズ流動管４１ａ、４１ｂ、４１ｃに存在する空気を吸引し、所望のペアガラス１０ａ、１０ｂ、１０ｃに対応する貯蔵槽３０ａ、３０ｂ、３０ｃに貯蔵された複数のビーズ５をビーズ流動管４１ａ、４１ｂ、４１ｃを経てペアガラス１０ａ、１０ｂ、１０ｃのビーズ出入口１５を通過させてチャンバに流入して充填させる。
【０１０１】
これにより、所望のペアガラス１０ａ、１０ｂ、１０ｃのチャンバは複数のビーズ５が充填された状態になり、これによりペアガラス１０ａ、１０ｂ、１０ｃを介して断熱、遮光及び防音を向上させることができ、別途のカーテンやブラインドの追加設置が不要になる。
【０１０２】
また、前述した１つのペアガラスの断熱システムで説明したように、複数のビーズ５が各ペアガラス１０ａ、１０ｂ、１０ｃのチャンバに充填された状態で所望のペアガラス１０ａ、１０ｂ、１０ｃを通して眺望するために複数のビーズ５をチャンバから排出する場合、所望のペアガラス１０ａ、１０ｂ、１０ｃに対応する第１弁４３ａ、４３ｂ、４３ｃと第２弁５３ａ、５３ｂ、５３ｃを開放し、第３弁５７ａ、５７ｂ、５７ｃを閉鎖した状態で、メイン送風装置６５を作動させる。
【０１０３】
メイン送風装置６５の作動によりメイン送風装置６５は、連通管６１と、所望のペアガラス１０ａ、１０ｂ、１０ｃに対応する空気排出管５１と、貯蔵槽３０ａ、３０ｂ、３０ｃと、ビーズ流動管４１ａ、４１ｂ、４１ｃと、チャンバに存在する空気を吸引し、所望のペアガラス１０ａ、１０ｂ、１０ｃに対応するチャンバに充填された複数のビーズ５をビーズ流動管４１ａ、４１ｂ、４１ｃを経て貯蔵槽に３０ａ、３０ｂ、３０ｃ流入して貯蔵させる。
【０１０４】
そして、所望のペアガラス１０ａ、１０ｂ、１０ｃに対応する分岐管用弁７３ａ、７３ｂ、７３ｃを開放し、補助送風装置７５を追加で作動させてガラス窓面に静電気力により付着している残留ビーズ５を取り除き、残留ビーズ５をビーズ流動管４１ａ、４１ｂ、４１ｃを経て貯蔵槽３０ａ、３０ｂ、３０ｃに流入して貯蔵させる。
【０１０５】
これにより、所望のペアガラス１０ａ、１０ｂ、１０ｃのガラス窓は清潔に維持され、ペアガラス１０ａ、１０ｂ、１０ｃを通して眺望できるようになる。
【０１０６】
従って、各ペアガラス１０ａ、１０ｂ、１０ｃのチャンバに同時に又は選択的に複数のビーズ５を充填してペアガラス１０ａ、１０ｂ、１０ｃを断熱したり、又は各ペアガラス１０ａ、１０ｂ、１０ｃのチャンバから同時に又は選択的に複数のビーズ５を排出させてペアガラスを通して眺望できるようになる。
【０１０７】
また、本発明の一実施形態に係るペアガラス断熱システムは、１つのペアガラスだけでなく、複数のペアガラスにも適用されることができる。
【０１０８】
図１０には、本発明の他の実施形態に係るペアガラス断熱システムの構成図が示されている。
【０１０９】
本発明の他の実施形態に係るペアガラス断熱システムは、前述した一実施形態とは異なり、分岐管と、分岐管用弁と、補助送風装置と、補助空気流動管と、補助空気流動管用弁を含まず、その代りにバイパス管９１と、バイパス管用弁９３を含む。
【０１１０】
バイパス管９１は、中空のパイプ又はダクト状を有する。バイパス管９１は連通管６１と空気流動管５５を連結し、メイン送風装置６５を経て連通管６１を介して排出される一部の空気を空気流動管５５に流動するように案内する役割を果たす。
【０１１１】
バイパス管用弁９３は、バイパス管９１に設けられてバイパス管９１を開閉する。バイパス管用弁９３の開閉作動によりバイパス管９１に沿って空気流動管５５に流入する空気の流動を断続できるようになる。
【０１１２】
これにより、チャンバ１３から複数のビーズ５を排出する途中に、バイパス管９１に設けられたパイパス管用弁９３を開放すると、メイン送風装置６５を経て連通管６１を介して排出される一部の空気は、バイパス管９１と空気流動管５５を順次経てビーズ遮断部材２３の各空気通過孔２５を通過してガラス窓１１面に沿ってチャンバ１３に流入して各ガラス窓１１面に静電気力により付着している残留ビーズ５を取り除き、残留ビーズ５と共にビーズ出入口１５を介してビーズ流動管４１に流動して貯蔵槽３０に流入する。これにより、ペアガラス１０のガラス窓１１面に付着しているビーズ５の量を最小化し、ガラス窓１１を清潔に維持できるようになる。
【０１１３】
このように、分岐管と、分岐管用弁と、補助送風装置と、補助空気流動管と、補助空気流動管用弁を備えず、その代りにバイパス管９１と、バイパス管用弁９３を備えることによって、ペアガラス断熱システムの構成を単純化してコストを削減し、ペアガラス１０のチャンバ１３に複数のビーズ５を充填してペアガラス１０を断熱、遮光及び防音したり、又はペアガラス１０のチャンバ１３から複数のビーズ５を排出してペアガラス１０を通して眺望できるようになる。
【０１１４】
図１１には、本発明の更に他の実施形態に係るペアガラス断熱システムの構成図が示されている。
【０１１５】
図示するように、本発明の更に他の実施形態に係るペアガラス断熱システムは前述した一実施形態とは異なり、チャンバ１３とビーズ流動管４１との間にビーズ供給管４６とビーズ排出管４７が設けられている。
【０１１６】
ビーズ供給管４６はビーズ流動管４１から分岐され、チャンバ１３の上部領域に連通するように連結されてチャンバ１３に複数のビーズ５を供給する。ビーズ供給管４６は、中空のパイプ又はダクト状を有する。ビーズ供給管４６は、ビーズ流動管４１から供給される複数のビーズ５をチャンバ１３の上部領域に充填されるように案内する役割を果たす。
【０１１７】
ビーズ供給管４６には、ビーズ供給管４６を開閉するビーズ供給管用弁４８設けられている。ビーズ供給管用弁４８の開閉作動によりビーズ供給管４６を介してチャンバ１３に充填される複数のビーズ５の流動を断続できるようになる。
【０１１８】
ビーズ排出管４７はビーズ流動管４１から分岐され、チャンバ１３の下部領域、例えば、ビーズ出入口１５に連通するように連結されてチャンバ１３に充填された複数のビーズ５が排出される。ビーズ排出管４７は、中空のパイプ又はダクト状を有する。ビーズ排出管４７は、チャンバ１３から排出される複数のビーズ５をビーズ流動管４１に排出されるように案内する役割を果たす。
【０１１９】
ビーズ排出管４７には、ビーズ排出管４７を開閉するビーズ排出管用弁４９が設けられている。ビーズ排出管用弁４９の開閉作動によりビーズ排出管４７を介してビーズ流動管４１に排出される複数のビーズ５の流動を断続できるようになる。
【０１２０】
このような構成により、チャンバ１３に複数のビーズ５を充填する場合、ビーズ供給管用弁４８を開放すると同時に、ビーズ排出管用弁４９を閉鎖した状態で、貯蔵槽３０に貯蔵された複数のビーズ５は、ビーズ流動管４１とビーズ供給管４６を経てチャンバ１３に充填できるようになる。
【０１２１】
一方、チャンバ１３から複数のビーズ５を排出する場合、ビーズ供給管用弁４８を閉鎖すると同時に、ビーズ排出管用弁４９を開放した状態で、チャンバ１３に貯蔵された複数のビーズ５はビーズ出入口１５を経て、ビーズ排出管４７とビーズ流動管４１を介して貯蔵槽３０に貯蔵できるようになる。
【０１２２】
これにより、複数のビーズ５はチャンバ１３に充填されるとき、チャンバ１３の上部領域に充填されることによって、チャンバ１３にける複数のビーズ５間の静電気の発生を最小化できるようになる。
【図１】
2019527788.tif 000003
【図２】
2019527788.tif 000004
【図３】
2019527788.tif 000005
【図４】
2019527788.tif 000006
【図５】
2019527788.tif 000007
【図６】
2019527788.tif 000008
【図７】
2019527788.tif 000009
【図８】
2019527788.tif 000010
【図９】
2019527788.tif 000011
【図１０】
2019527788.tif 000012
【図１１】
2019527788.tif 000013
【国際調査報告】
2019527788.tif 000014
2019527788.tif 000015
2019527788.tif 000016
2019527788.tif 000017